(57)【要約】【課題】光ファイバ収納ケースを装置から取り外す際の作業手順の間違いによる光ファイバの破損等を防ぐ。【解決手段】光ファイバ収納ケース９は、光ファイバ１５とコネクタ１１，１３により接続する装置１に着脱自在に備えられる。そして、前記光ファイバ１５の余長部分を収納する収納部を有する。一方、前記装置１の本体側のコネクタ１１に差し込まれた光ファイバ１５側のコネクタ１３に対応する位置にロック部１７を設け、前記光ファイバ収納ケース９を前記装置の本体から取り外す際、前記ロック部１７と、前記光ファイバ１５側のコネクタ１５とが干渉する。すなわち、コネクタ１３をコネクタ１１から取り外した後でないと、光ファイな収納ケースを取り外すことができない。【選択図】      図１
2004317869.tif 000002
【特許請求の範囲】
【請求項１】
光ファイバがコネクタを介して接続する装置に着脱自在に備えられ、前記光ファイバの余長部分を収納する収納部を有する光ファイバ収納ケースにおいて、
前記装置の本体側のコネクタに差し込まれた光ファイバ側のコネクタに対応する位置にロック部を設け、
前記光ファイバ収納ケースを前記装置の本体から取り外す際、前記ロック部と、前記光ファイバ側のコネクタとが干渉することを特徴とする光ファイバ収納ケース。
【請求項２】
前記収納部は巻き付けられる前記光ファイバのたるみを防止するたるみ防止部を備えたことを特徴とする請求項１記載の光ファイバ収納ケース。
【請求項３】
前記収納部は光ファイバ同士が接続する光ファイバ接続部を固定する固定部を備えたことを特徴とする請求項１又は２記載の光ファイバ収納ケース。
【請求項４】
前記収納部は収納する光ファイバの浮き上がりを防止する浮き上がり防止部を備えたことを特徴とする請求項１、２又は３記載の光ファイバ収納ケース。
【請求項５】
光ファイバがコネクタを介して接続する装置に着脱自在に備えられ、前記光ファイバの余長部分を収納する収納部を有する光ファイバ収納ケースにおいて、
前記収納部は巻き付けられる前記光ファイバのたるみを防止するたるみ防止部を備えたことを特徴とする光ファイバ収納ケース。
【請求項６】
光ファイバがコネクタを介して接続し、前記光ファイバの余長部分を収納する着脱自在な光ファイバ収納ケースを備えた装置において、
前記装置の本体には光ファイバ側のコネクタと接続する本体側のコネクタが配置され、
前記光ファイバ収納ケースは、前記装置の本体側のコネクタに差し込まれた前記光ファイバ側のコネクタに対応する位置にロック部を備え、
前記光ファイバ収納ケースを前記装置から取り外す際、前記ロック部と、前記光ファイバ側のコネクタとが干渉することを特徴とする光ファイバ収納ケースを備えた装置。
【発明の詳細な説明】
【０００１】
【発明の属する技術分野】
本発明は、光ファイバ収納ケース及び光ファイバ収納ケースを備えた装置に係り、さらに詳細には、光ファイバ収納ケースを装置から取り外す際、この光ファイバの安全を図るための安全機能を備えた光ファイバ収納ケース及び光ファイバ収納ケースを備えた装置に関する。
【０００２】
【従来の技術】
一般に、光ファイバを接続して使用する装置には、光ファイバの接続の工法上必要となる余長を収容するための光ファイバ収納ケースを備えるものがある。
【０００３】
さらに、この光ファイバ収納ケースは、必要に応じて装置本体に対して着脱できる仕組みになっているものがある。
【０００４】
光ファイバを接続して使用する装置は、通例、本体に光ファイバを接続するための光ファイバコネクタレセプタクル（メス）を備える。当該装置に光ファイバを接続する場合は、光ファイバの先端に光ファイバコネクタレセプタクル（オス）を取り付けて、装置の光ファイバコネクタレセクタプルに光ファイバコネクタプラグを嵌合させればよい。
【０００５】
しかしながら、光ファイバコネクタプラグを現場にて光ファイバの先端に取り付ける作業は用意ではない。また、光ファイバが実際に施設される際には、機械的な強度を増すためなどの理由でケーブル化されている。さらに、光ファイバケーブルを施設する場合、光ファイバケーブルの必要長を事前に正確に予測するすることは、多くの場合不可能である。
【０００６】
以上のような理由で、光ファイバケーブルを施設して、ある装置（特に通信機）に光ファイバを接続する際には、以下に示す第１〜第４の工程により行うことが一般的である。
【０００７】
第１の工程は、光ファイバケーブルを装置近くまで施設し、長さを合わせるために必要に応じ切断したり、途中ゆるませたりする。
【０００８】
第２の工程は、光ファイバケーブル中の光ファイファイバ心線を口出しする。第３の工程は、予め光ファイバコネクタプラグが先端に取り付けられている別の光ファイバ心線を用意しておき、口出ししたケーブル側の光ファイバの心線と、コネクタ側の光ファイバの心線とを融着接続（現場での作業可能な方法）などで接続する。
【０００９】
第４の工程は、接続した光ファイバ心線の光ファイバコネクタプラグを装置の光ファイバコネクタレセプタクルに嵌合させる。
【００１０】
このような工法では、ケーブル側とコネクタ側の両光ファイバ心線を接続する場合に、将来の再接続に備えて、適当長の光ファイバを余しておく（余長をとる）ことを行う。これは、光ファイバの再接続の際には、接続の加工のために光ファイバが短くなることを理由とする。
【００１１】
従って、光ファイバを装置に接続する箇所では、光ファイバケーブル、適当な余長を含んだ心線、接続箇所を把持、収納する機構が必要であり、光ファイバ収納ケースはそのためのものである。
【００１２】
上記において説明したように、光ファイバを装置に接続するためには相応の作業を要する。一旦光ファイバを装置に接続した後に、当該装置を交換する必要が生じた場合、光ファイバ収納ケースが、光ファイバケーブルなどを収納した状態で装置本体から取り外すことができれば、光ファイバコネクタの着脱だけで装置本体を交換することができる。この必要から光ファイバ収納ケースを着脱式にしていた。
【００１３】
例えば、特許文献１を参照。
【００１４】
【特許文献１】
特開２００２−２５８０６２号公報
【００１５】
【発明が解決しようとする課題】
光ファイバは小径で曲げられたり極端に屈曲させられると、特性が劣化したり、また、破断したりするので、上記光ファイバ収納ケースに光ファイバが収納されている状態で、光ファイバ収納ケースを装置本体から取り外そうとするときなどに工法を誤ると、光ファイバが過度に曲げられたりして、光ファイバの特性の劣化、破断をまねく恐れがある。
【００１６】
すなわち、この発明が対象とする装置では、光ファイバケーブル、心線余長などは着脱式の光ファイバ収納ケースに把持されているが、光ファイバコネクタプラグは装置本体の光ファイバコネクタレセプタクルに嵌合、把持される。
【００１７】
従来技術では、この点について何も工夫されていないので、例えば、装置本体を交換しようとする場合に、誤って光ファイバコネクタを外さないまま、着脱式光ファイバ収納ケースを取り外そうとすると、装置本体に嵌合されたままになっている光ファイバコネクタ部にて、光ファイバに過大な屈曲が生じ、光ファイバの特性を損なったり、光ファイバを切断したりする危険があった。
【００１８】
【課題を解決するための手段】
本発明は、前述のごとき問題に鑑みてなされたもので、請求項１に係る発明は、光ファイバがコネクタを介して接続する装置に着脱自在に備えられ、前記光ファイバの余長部分を収納する収納部を有する光ファイバ収納ケースにおいて、
前記装置の本体側のコネクタに差し込まれた光ファイバ側のコネクタに対応する位置にロック部を設け、前記光ファイバ収納ケースを前記装置の本体から取り外す際、前記ロック部と、前記光ファイバ側のコネクタとが干渉する光ファイバ収納ケースである。
【００１９】
請求項２に係る発明は、前記収納部は巻き付けられる前記光ファイバのたるみを防止するたるみ防止部を備えた請求項１記載の光ファイバ収納ケースである。
【００２０】
請求項３に係る発明は、前記収納部は光ファイバ同士が接続する光ファイバ接続部を固定する固定部を備えた請求項１又は２記載の光ファイバ収納ケースである。
【００２１】
請求項４に係る発明は、前記収納部は収納する光ファイバの浮き上がりを防止する浮き上がり防止部を備えた請求項１、２又は３記載の光ファイバ収納ケースである。
【００２２】
請求項５に係る発明は、光ファイバがコネクタを介して接続する装置に着脱自在に備えられ、前記光ファイバの余長部分を収納する収納部を有する光ファイバ収納ケースにおいて、
前記収納部は巻き付けられる前記光ファイバのたるみを防止するたるみ防止部を備えた光ファイバ収納ケースである。
【００２３】
請求項６に係る発明は、光ファイバがコネクタを介して接続し、前記光ファイバの余長部分を収納する着脱自在な光ファイバ収納ケースを備えた装置において、
前記装置の本体には光ファイバ側のコネクタと接続する本体側のコネクタが配置され、前記光ファイバ収納ケースは、前記装置の本体側のコネクタに差し込まれた前記光ファイバ側のコネクタに対応する位置にロック部を備え、
前記光ファイバ収納ケースを前記装置から取り外す際、前記ロック部と、前記光ファイバ側のコネクタとが干渉する光ファイバ収納ケースを備えた装置である。
【００２４】
【発明の実施の形態】
本発明の実施の形態を、図面を参照して説明する。
【００２５】
図１を参照する。装置（例えば、光ファイバを介してデータの通信を行う通信装置）１の斜視図である。この装置１には、光ファイバ１５がつながる。すなわち、コネクタ（例えば、光ファイバコネクタプラグオス）１３は光ファイバ１５と接続している。前記装置１の本体３に組み込まれた基盤７にはコネクタ（例えば、光ファイバコネクタレセプタクルメス）１１が配置されている。そして、前記コネクタ１１と前記コネクタ１３とが嵌合することにより光ファイバ１５が装置１に通信可能に接続されている。
【００２６】
一方、前記装置１は、前記光ファイバ１５の余長部分を収納する着脱自在な光ファイバ収納ケース９を備えている。
【００２７】
前記光ファイバ収納ケース９は、この基盤７に覆い被さるように配置され、さらに、その上に上蓋５がかぶせられている。
【００２８】
前記光ファイバ収納ケース９は、前記装置１の本体３側のコネクタ１１に差し込まれた前記光ファイバ１５側のコネクタ１３に対応する位置にロック部１７を備えている。
【００２９】
これにより、前記光ファイバ収納ケース９を前記装置１の本体３から取り外す際、前記ロック部７と、前記光ファイバ１５側のコネクタ１３とが干渉する。ここでの干渉は光ファイバ収納ケース９を取り外すときのコネクタ１３とロック部１７が干渉することをいう。
【００３０】
また、装置１に光ファイバ収納ケース９をセットし、コネクタ１３をコネクタ１１に嵌合させた状態では前記コネクタ１３と、ロック部１７とは干渉していない。
【００３１】
さらに詳しく説明する。前記光ファイバ収納ケース９を矢印ＡＲ１方向へ移動し取り外す際に、ロック部１７が、光ファイバ１５側のコネクタ１３に干渉して、この光ファイバ収納ケース９は取り外すことができない。換言すれば、コネクタ１３をコネクタ１１から取り外すことにより、光ファイバ収納ケース９を装置１から取り出すことができる。これにより、光ファイバ１５がコネクタにり装着されたまま光ファイバ収納ケース９をとり出すことにより発生する光ファイバ１５の破損等を防ぐことができる。
【００３２】
図２を参照する。光ファイバ収納ケース９の斜視図を示している。光ファイバ収納ケース９は基台１９に対してロック部１７と収納部２５とが形成されている。
【００３３】
前記ロック部１７は基台１９の端に支持部材１７ａが形成されこの支持部１７ａに干渉部材１７ｂが形成されている。
【００３４】
前記収納部２５は基台１９に対して光ファイバを巻き付ける巻き付け部２３と、光ファイバを外側からガイドする外壁２１とを備えている。これにより、光ファイバを収納する空間を形成している。
【００３５】
また、前記巻き付け部２３は巻き付けられる前記光ファイバのたるみを防止するたるみ防止部３９を備えている。
【００３６】
前記収納部２５は光ファイバ同士が接続する光ファイバ接続部を固定する固定部２９を備えている。本例では２カ所の位置に配置されているが配置する個数は限定されない。
【００３７】
さらに、前記収納部２５は収納する光ファイバの浮き上がりを防止する浮き上がり防止部２７を備えている。この浮き上がり防止部２７は、巻き付け部２３、及び外壁２１に適数配置されている。
【００３８】
図３を参照する。図２において光ファイバ収納ケース９を矢印ＡＲ２方向からみたものであり、光ファイバの収納方法を示す。
【００３９】
光ファイバケーブル３１から露出した光ファイバ３３と、終端がコネクタ１３に接続されている光ファイバ３５とが光ファイバ接続部３７により接続（例えば、融着接続）されている。
【００４０】
この光ファイバ接続部３７は固定部２９の一方の固定部材２９ａと他方の固定部材２９ｂに挟まれ固定されている。
【００４１】
前記光ファイバ３５の余長部分は巻き付け部２３の周りに巻き付けられ収納される。そして、終端はコネクタ１３に接続している。この光ファイバ３５側のコネクタ１３は、装置１の本体３に設けられた装置１側のコネクタ１１に接続されている。
【００４２】
また、上述したように前記収納部２５を構成する巻き付け部２３、外壁２１には、光ファイバ３５の浮き上がり防止のための浮き上がり防止部２７が備えられているため光ファイバ３５を巻き付け部２３に巻き付ける際、光ファイバ３５の浮き上がりが防止でき、作業性が向上する。また、巻き付け後においても、光ファイバ３５が巻き付け部２３から外れることがなくなるという効果がある。
【００４３】
なお、光ファイバ収納ケース９は複数の貫通孔４１を有している。これは、装置１に光ファイバ収納ケース９を組み込んだとき、基盤から発生する熱を逃がすためのものである。
【００４４】
図４を参照する。光ファイバ３５を巻き付け部２３に巻き付ける際、この巻き付け部２３が有する内側に窪んだたるみ防止部３９により、光ファイバ３５のたるみが防止されている。すなわち、巻き付けられた光ファイバ３５は矢印ＡＲ３方向に広がろうとするが、矢印ＡＲ４方向に力が働き広がりが防止され、この結果、光ファイバ３５のたるみ（外側に広がるたるみ）が防止されている。
【００４５】
なお、この巻き付け部２３は一方の側と、他方の側に円弧形状ＲＡ，ＲＢが形成されている。この円弧形状ＲＡ，ＲＢの半径は、光ファイバに適正以上の負荷が掛からないように十分な大きさになっている（例えば、半径３０ｍｍ以上が望ましい）。
【００４６】
図５（ａ）を参照する。光ファイバケーブル３１から露出した光ファイバ（長さＡは１ｍ位が望ましい）３３と、終端がコネクタ１３につながった光ファイバ３５との接続を示す。すなわち、光ファイバ３３のガラス部分４３と光ファイバ３５のガラス部分４５とが露出される。
【００４７】
図５（ｂ）に示すように、光ファイバ接続部（例えば融着接続等）３７により接続される。この光ファイバ接続部３７は、一方の固定部材２９ａと他方の固定部材２９ｂとにより固定される。そして、本体側のコネクタ１１に光ファイバ側のコネクタ１３が嵌合される。
【００４８】
本例では装置１を通信機と想定して説明したが、例えば、ＦＴＴＨ（Ｆｉｂｅｒ：ｔｏ：ｔｈｅ：Ｈｏｍｅ）の光通信装置の光ファイバ収納機構。また、光ファイバコネクタで光ファイバを接続するその他の光通信装置。さらに、光ファイバコネクタで光ファイバを接続する光ファイバ成端箱等にも応用できる。
【００４９】
なお、本発明は、上述した実施の態様の例に限定されることなく、適宜の変更を加えることにより、その他の態様で実施できるものである。
【００５０】
【発明の効果】
上述の如く本発明によれば、例えば、着脱式の光ファイバ収納ケースが、光ファイバにつながったコネクタが装置の本体側のコネクタに接続されたままだと取り外せない構造になっているので、光ファイバの破断等を防ぐことができる効果がある。
【００５１】
また、光ファイバ収納ケースに備えられた収納部の光ファイバが巻き付く箇所の形状が一部窪んでいるので、収納された光ファイバがたるまないという効果がある。
【００５２】
また、光ファイバ同士が接続した光ファイバ接続部を固定する固定部が備えられているので光ファイバが安定した状態で収納できるという効果がある。
【００５３】
そして、この収納部には、光ファイバの浮き上がり防止用の浮き上がり防止部が備えられているので、巻き付け作業等が容易になり、かつ、巻き付けられた光ファイバも安定するという効果がある。
【００５４】
さらに、着脱式の光ファイバ接続用ケースの一部の形状を変えるだけなので、非常に安価に実現できる利点がある。
【図面の簡単な説明】
【図１】光ファイバ収納ケースを備えた装置の概略を説明する概略図である。
【図２】光ファイバ収納ケースを説明する説明図である。
【図３】光ファイバの収納状態を説明する説明図である。
【図４】光ファイバの収納状態を説明する説明図である。
【図５】光ファイバ同士の接続を説明する説明図である。
【符号の説明】
１  装置
３  装置の本体
５  カバー
７  基盤
９  光ファイバ収納ケース
１１  装置の本体側のコネクタ
１３  光ファイバ側のコネクタ
【図１】
2004317869.tif 000003
【図２】
2004317869.tif 000004
【図３】
2004317869.tif 000005
【図４】
2004317869.tif 000006
【図５】
2004317869.tif 000007